(57)【要約】【課題】表示画像データに対しオーバードライブ処理を行うことにより応答速度を改善するに当たり、１つの復号回路により静止画を確実に判定するとともに、必要なメモリ容量の削減を図る。【解決手段】現画像データを符号化する符号回路と、符号回路で符号化された画像データを格納する記憶手段と、前記記憶手段に格納された符号化予測値の遷移により閾値を決定する静止画判定用閾値選択回路と、記憶手段に格納された符号化画像データを復号化する復号回路と、前記静止画判定用閾値選択回路から選択された静止画判定用閾値と現画像データと前記復号回路で復号化された復号化画像データとで静止画判定を行い、オーバードライブ駆動処理をＯＮ／ＯＦＦ制御し、オーバードライブ駆動処理を行う。【選択図】図１
2010266663.tif 000002
【特許請求の範囲】
【請求項１】
表示画像データに対してオーバードライブ駆動処理をＯＮ／ＯＦＦ制御可能な、オーバードライブ駆動処理手段を備えた画像表示処理において、現画像データを符号化する符号回路と、前記符号回路で符号化された画像データを格納する記憶手段と、前記記憶手段に格納された符号化予測値の遷移により閾値を決定する静止画判定用閾値選択回路と、前記記憶手段に格納された符号化画像データを復号化する復号回路と、前記現画像データと前記復号回路で復号化された復号化画像データとの差分データを、前記静止画判定用閾値選択回路から選択された静止画判定用閾値と比較することにより静止画判定を行い、オーバードライブ駆動処理をＯＮ／ＯＦＦ制御し、オーバードライブ駆動処理を行う画像データ補正回路を具備したことを特徴とする画像表示処理装置。
【請求項２】
上記画像データがＲＧＢフォーマットのＲデータのみであることを特徴とする請求項１に記載の画像表示処理装置。
【請求項３】
上記画像データがＲＧＢフォーマットのＧデータのみであることを特徴とする請求項１に記載の画像表示処理装置。
【請求項４】
上記画像データがＲＧＢフォーマットのＢデータのみであることを特徴とする請求項１に記載の画像表示処理装置。
【請求項５】
上記画像データがＲＧＢフォーマットのいずれかのデータであることを特徴とする請求項１に記載の画像表示処理装置。
【請求項６】
上記画像データがＲＧＢフォーマットの全データであることを特徴とする請求項１に記載の画像表示処理装置。
【請求項７】
上記画像データがＹＵＶフォーマットのＹデータのみであることを特徴とする請求項１に記載の画像表示処理装置。
【請求項８】
上記画像データがＹＵＶフォーマットの全データであることを特徴とする請求項１に記載の画像表示処理装置。
【請求項９】
上記画像データを格納する記憶手段が１個のメモリ構成であることを特徴とする請求項１ないし８のいずれか一つに記載の画像表示処理装置。
【請求項１０】
上記画像データを格納する記憶手段が２個のメモリ構成であることを特徴とする請求項１ないし８のいずれか一つに記載の画像表示処理装置。
【請求項１１】
液晶表示パネルと、前記液晶表示パネルに表示データを出力する画像処理装置を具備し、請求項１ないし１０のいずれか一つに記載の画像表示処理装置を用いた液晶表示装置。
【発明の詳細な説明】
【技術分野】
【０００１】
本発明は、オーバードライブ駆動処理に必要となる、フレームメモリのメモリ容量を大幅に削減し、不必要なオーバードライブ駆動処理を防ぎ、良好な画像を得る画像表示処理及び液晶表示装置に関するものである。
【背景技術】
【０００２】
画像データ処理部のメモリ容量を増やすことなく且つ画質の劣化を生じされることなく、動画面の輝度変化に対応して液晶の応答速度を正確に制御する画像データ処理装置、画像データ処理方法、及び液晶ディスプレイ装置に関し、以下のような従来例がある。
すなわち、特許文献１によれば、画像データとして受信したある画素の現画像データを符号化し、符号化画像データを現画像用復号回路で復号化した画像データと、符号化画像データを１フレーム期間格納された１フレーム前の符号化画像データを１フレーム遅延画像データ用復号回路で復号化した画像データとで変化量データを算出し、算出された変化量から１フレーム前の表示データを生成する。生成された表示データと現画像データに基づき補正画像データを生成することで、画像データ処理部のメモリ容量を増やすことなく且つ画質の劣化を生じされることなく、動画面の輝度変化に対応して液晶の応答速度を正確に制御する画像データ処理装置、画像データ処理方法、及び液晶ディスプレイ装置が記載されている。
【先行技術文献】
【特許文献】
【０００３】
【特許文献１】特開２００４−１６３８４２号公報
【発明の概要】
【発明が解決しようとする課題】
【０００４】
しかしながら、上述の装置のように、画像データの変化量データを算出するために、現画像用復号回路と１フレーム遅延画像データ用復号回路が必要であり、同一機能の復号回路が２種類必要となり、圧縮率が向上するにつれ復号回路の回路規模が増大し、消費電力が増大するという問題を有している。
本発明は、そのような状況に鑑みてなされたもので、メモリ容量の大幅な削減を図るとともに冗長な復号回路を削除し、回路規模と消費電力を削減することができるようにするものである。
【課題を解決するための手段】
【０００５】
本発明はこうした課題を解決するための手段を提供するもので、各請求項に係る発明の画像表示処理装置は、それぞれ以下の技術手段を構成する。
【０００６】
請求項１に係る画像表示処理装置の第１の態様では、表示画像データに対してオーバードライブ駆動処理をＯＮ／ＯＦＦ制御可能な、オーバードライブ駆動処理手段を備えた画像表示処理において、現画像データを符号化する符号回路と、前記符号回路で符号化された画像データを格納する記憶手段と、前記記憶手段に格納された符号化予測値の遷移により閾値を決定する静止画判定用閾値選択回路と、前記記憶手段に格納された符号化画像データを復号化する復号回路と、前記静止画判定用閾値選択回路から選択された静止画判定用閾値と現画像データと前記復号回路で復号化された復号化画像データとで静止画判定を行い、オーバードライブ駆動処理をＯＮ／ＯＦＦ制御し、オーバードライブ駆動処理を行う画像データ補正回路を具備したことを特徴とする画像表示処理装置としている。
【０００７】
請求項２に係る画像表示処理装置の第２の態様では、上記画像データがＲＧＢフォーマットのＲデータのみであることを特徴とする請求項１に記載の画像表示処理装置とし、請求項３に係る画像表示処理装置の第３の態様では、上記画像データがＲＧＢフォーマットのＧデータのみであることを特徴とする請求項１に記載の画像表示処理装置とし、請求項４に係る画像表示処理装置の第４の態様では、上記画像データがＲＧＢフォーマットのＢデータのみであることを特徴とする請求項１に記載の画像表示処理装置とし、請求項５に係る画像表示処理装置の第５の態様では、上記画像データがＲＧＢフォーマットのいずれかのデータであることを特徴とする請求項１に記載の画像表示処理装置とし、そして、請求項６に係る画像表示処理装置の第６の態様では、上記画像データがＲＧＢフォーマットの全データであることを特徴とする請求項１に記載の画像表示処理装置としている。
【０００８】
また、請求項７に係る画像表示処理装置の第７の態様では、上記画像データがＹＵＶフォーマットのＹデータのみであることを特徴とする請求項１に記載の画像表示処理装置とし、請求項８に係る画像表示処理装置の第８の態様では、上記画像データがＹＵＶフォーマットの全データであることを特徴とする請求項１に記載の画像表示処理装置としている。
【０００９】
さらに、請求項９に係る画像表示処理装置の第９の態様では、上記画像データを格納する記憶手段が１個のメモリ構成であることを特徴とする請求項１ないし８に記載の画像表示処理装置であり、画像表示処理装置の第１０の態様では、上記画像データを格納する記憶手段が２個のメモリ構成であることを特徴とする請求項１ないし８のいずれか一つに記載の画像表示処理装置とし、請求項１１に係る画像表示処理装置の第１１の態様では、液晶表示パネルと、前記液晶表示パネルに表示データを出力する画像処理装置を具備し、請求項１ないし１０のいずれか一つに記載の画像表示処理装置を用いた液晶表示装置としている。
【発明の効果】
【００１０】
本発明の請求項１に係る第１の態様の画像表示処理装置によれば、現画像データを符号化する符号回路と、前記符号回路で符号化された画像データを格納する記憶手段と、前記記憶手段に格納された符号化予測値の遷移により閾値を決定する静止画判定用閾値選択回路と、前記記憶手段に格納された符号化画像データを復号化する復号回路と、前記静止画判定用閾値選択回路から選択された静止画判定用閾値と現画像データと前記復号回路で復号化された復号化画像データとで静止画判定を行い、オーバードライブ駆動処理をＯＮ／ＯＦＦ制御することにより、オーバードライブ駆動処理に必要となるフレームメモリのメモリ容量を大幅に削減しつつ、１つの復号回路により最適な静止画判定を可能にすることにより、不必要なオーバードライブ駆動処理を防ぐことができる。
【００１１】
また、本発明の請求項２ないし６に係る第２ないし第６の態様の画像表示処理装置あるいは請求項７、８に係る第７，第８の態様の画像処理装置によれば、画像データが画像データＲＧＢフォーマットあるいはＹＵＶフォーマットのいずれであっても、確実かつ正確に静止画判定を行うことができ、請求項９、１０に係る第９、第１０の態様の画像処理装置によれば、画像データを格納する記憶手段を１個あるいは２個に集約することができ、さらに請求項１１に係る第１１の態様の画像処理装置によれば、液晶表示パネルの画像表示処理に好適に適用できる。
【図面の簡単な説明】
【００１２】
【図１】本発明による、フレームメモリを１個のメモリ構成とした画像表示処理装置を説明するためブロック図である。
【図２】本発明による、フレームメモリを２個のメモリ構成とした画像表示処理装置を説明するためブロック図である。
【発明を実施するための形態】
【００１３】
近年の液晶パネルの高精細化による画像処理部データの増大に伴い、フレームメモリが大容量化する問題が発生し、その対策として、データの間引き処理・符号化処理等によるデータ圧縮が提案されている。また、オーバードライブ駆動処理は、入力画像データが静止画であるにも関わらず動画と誤判定した場合、不要なオーバードライブ駆動が処理され画像が破綻してしまうため、正確な静止画判定が良好な画像を得るために必要となる。
【００１４】
ここで、符号化処理の一例として、差分符号化方式であるＤＰＣＭ符号について紹介する。
画像データを圧縮符号化するＤＰＣＭによる圧縮方法では、隣接する画像データ間の相関が強いことを利用して精度判定フラグと隣接画像データの誤差を符号化する。符号化データである符号化予測値として、精度判定フラグと圧縮データとがある。精度判定フラグは、前画像データと現画像データとの誤差が大きい場合フラグが立つ（例えば精度判定フラグを”１”とする）、誤差が精度範囲内であれば、精度判定フラグを立てない（例えば精度判定フラグを”０”とする）。圧縮データは、現精度判定フラグが立つときは、前精度判定フラグの状態に関係なく画像データをビットシフトして丸める、前精度判定フラグが立ち、現精度判定フラグが立たないときは、前画像データとの差分データをビットシフトして丸める、前精度判定フラグも現精度判定フラグも立たないときは、前画像データとの差分データをそのまま符号化する。
【００１５】
以下に、前記符号化予測値の遷移を監視して、静止画判定を行い、不必要なオーバードライブ駆動処理を防ぎ、フレームデータを符号化しデータ圧縮を行うことでフレームメモリ容量を大幅に削減できる実施の形態１ないし５について説明する。
【００１６】
（実施の形態１）
以下、本発明による画像表示処理装置の実施の形態１について図面を参考にしながら説明する。
図１は、本実施形態の画像表示処理装置を説明するためのブロック図である。
図１に示すように、本実施形態の画像表示処理装置では、現画像データ１１１を符号化する符号回路１０１によって、現画像データ１１１のデータ量を大幅に圧縮する。ここで、符号化手法の一例として前記説明の差分符号化方式である、ＤＰＣＭ符号などを用いて符号化を行う。符号化された符号化画像データ１１２は、画像データを圧縮後にフレームメモリ１０２に格納するのでフレームメモリ容量を大幅に削減することができる。
【００１７】
フレームメモリ１０２によって、現画像データ１１１から１フレーム分遅延させた符号化画像データである１フレーム前の符号化画像データ１１３は、静止画判定用閾値選択回路１０３と、復号回路１０４へと読みだされる。静止画判定用閾値選択回路１０３は、符号化予測値の精度判定フラグの遷移を監視して、静止画判定用閾値１１４を選択する。前精度判定フラグに関係なく、現精度判定フラグが立っている場合は、符号化誤差が大きいので静止画判定用閾値を大きな値にする。前精度判定フラグが立ち、現精度判定フラグが立ってない場合は、符号化誤差が小さいので静止画判定用閾値１１４を小さな値にする。前精度判定フラグも現精度判定フラグも立ってない場合は、符号化誤差がないので静止画判定用閾値１１４は、ゼロにする。現画像データ１１１と復号回路１０４から復号化された復号化画像データ１１５との比較を行い、その差分データが、静止画判定用閾値選択回路１０３より選択された静止画判定用閾値１１４より小さい時は、静止画と判定し、画像データ補正回路１０５のオーバードライブ駆動処理を行わない。
このように、現画像データ１１１と復号回路１０４から復号化された復号化画像データ１１５との差分データと、符号化予測値の精度判定フラグの遷移に対応して選択された静止画判定用閾値１１４とを比較することにより、一つ復号回路１０４のみで、確実に静止画の判定を行うことができ、差分データが静止画判定用閾値１１４より大きい時は、動画と判定し画像データ補正回路１０５のオーバードライブ駆動処理を行うことで、オーバードライブ駆動処理に必要となる、フレームメモリのメモリ容量を大幅に削減し、不必要なオーバードライブ駆動処理を防ぐことができる。
【００１８】
（実施の形態２）
図１において、画像データがＲＧＢフォーマットである場合は、現画像データ１１１、符号化画像データ１１２、１フレーム前の符号化画像データ１１３、復号化画像データ１１５として、ＲＧＢフォーマットの画像データのうち、Ｒデータ（前記第２の態様に対応する）、Ｇデータ（前記第３の態様に対応する）、あるいはＢデータ（前記第４の態様に対応する）のいずれかひとつを選択すればよい。また、Ｒデータ、Ｇデータ、Ｂデータのいずれかの組み合わせ（前記第５の態様に対応する）、さらには全データ（前記第６の態様に対応する）を使用してもよい。
【００１９】
（実施の形態３）
一方、画像データがＹＵＶフォーマットである場合は、同様に、図１において、現画像データ１１１、符号化画像データ１１２、１フレーム前の符号化画像データ１１３、復号化画像データ１１５として、ＹＵＶフォーマットの画像データのうちＹデータ（前記第７の態様に対応する）のみあるいは全データ（前記第８の態様に対応する）とすればよい。
【００２０】
（実施の形態４）
また、図１においては、フレームメモリ１０２が、データの読み出し及び書き込みの両機能を兼ね備えた１個のメモリであり、同一アドレス以外のアドレスを同時に読み書き可能なメモリであり、画像データを格納する記憶手段を１個のメモリで構成している（前記第９の態様に対応する）。
【００２１】
（実施の形態５）
これに対し、図２においては、２個のフレームメモリ２０２、２０６を設けており、それぞれのメモリ２０２，２０６は、データの読み出し及び書き込みの両機能を兼ね備えたメモリであり、書き込むメモリと読み出すメモリをフレーム単位で制御する構成としている（前記第１０の態様に対応する）。
【００２２】
（実施の形態６）
上記各実施の形態においては、画像処理装置の出力は、液晶表示パネルに表示データとして出力されるようになっており、液晶表示装置を構成する（前記第１０の態様に対応する）。
【符号の説明】
【００２３】
１０１，  ２０１                  ：  符号回路
１０２，  ２０２，  ２０６        ：  フレームメモリ
１０３，  ２０３                  ：  静止画判定用閾値選択回路
１０４，  ２０４                  ：  復号回路
１０５，  ２０５                  ：  画像データ補正回路
１１１，  ２１１                  ：  現画像データ
１１２，  ２１２                  ：  符号化画像データ
１１３，  ２１３                  ：  １フレーム前の符合化画像データ
１１４，  ２１４                  ：  静止画判定用閾値
１１５，  ２１５                  ：  復号化画像データ
【図１】
2010266663.tif 000003
【図２】
2010266663.tif 000004